(57)【要約】  光ファイバ通信システムは、送信装置と受信装置との間に連結された中空コアファイバを備えている。中空コアファイバおよび中実コアファイバの両方が、中空コアファイバが中実コアファイバに先行して、送信装置と受信装置との間で光学的に連結されていてよい。中実コアファイバ内に分布ラマン増幅を提供するために、中実コアファイバにラマンポンプレーザを連結させてもよい。複数の直列に接続されたスパンの中空コアファイバと中実コアファイバを使用してもよい。各々が中空コアファイバを有する第１と第２の伝送回線を一本のケーブルに設けてもよい。
2014512722.tif 000002
【特許請求の範囲】
【請求項１】
光ファイバ通信システムにおいて、
送信装置、
受信装置、
前記送信装置に光学的に連結された中空コアファイバ、および
前記中空コアファイバと前記受信装置との間に動作可能に連結された中実コアファイバ、
を備え、
前記中実コアファイバの全長の１０％未満が、前記送信装置と前記中空コアファイバとの間に存在する、通信システム。
【請求項２】
前記中空コアファイバがマルチモード中空コアファイバを含み、前記中実コアファイバがシングルモードファイバを含む、請求項１記載の通信システム。
【請求項３】
前記中空コアファイバが２０キロメートル超の長さを有する、請求項２記載の通信システム。
【請求項４】
前記中空コアファイバが１００キロメートル超の長さを有する、請求項２記載の通信システム。
【請求項５】
光ファイバ通信システムにおいて、
送信装置、
受信装置、および
２０キロメートル超の長さのマルチモード部分を含む中空コアファイバ、
を備えた通信システム。
【請求項６】
前記マルチモード部分が１００キロメートル超の長さを有する、請求項５記載の通信システム。
【請求項７】
前記中実コアファイバが２０キロメートルと５０キロメートルの間の長さを有する、請求項１記載の通信システム。
【発明の詳細な説明】
【関連出願の説明】
【０００１】
本出願は、その内容がここに引用される、２０１１年２月２５日に出願された米国特許出願第１３／０３５２８５号の米国法典第３５号第１２０条の下での優先権の恩恵を主張するものである。
【技術分野】
【０００２】
本発明は、広く、光ファイバ通信システムに関し、より詳しくは、中空コアファイバを利用した低遅延のファイバ系通信システムに関する。
【背景技術】
【０００３】
遠隔地間でデータを転送するために、従来の光ファイバ通信システムが広く利用されている。従来の光ファイバケーブルは、一般に、中実コア材料およびそのコアを取り囲む中実クラッドを有する中実コアシングルモードファイバ（ＳＭＦ）を含む。従来のシングルモードファイバにおいて、中実コアは、ガラスからなり、ドーパントの添加レベルと波長に応じて約１．４５から約１．４８の屈折率を有する。光は、空気または真空中の光伝送と比べて一般に減少した速度で、例えば、真空中の光の速度より約１．４５倍遅い速度で、中実コア内を伝搬する。通信システムにおいて、遅延時間(latency)は、送信機から受信機に伝わる情報のパケットが経験する一時的遅延である。総遅延時間は、伝搬速度、パケットサイズ、ルート選択、エラーと障害の光学的および電気的補償、貯蔵遅延(storage delay)およびシステムにおける他の光学的および電気的遅延により決定される。
【０００４】
ここ数年、フォトニックバンドギャップの物理的特性に基づく中空コアファイバが、開発されてきており、一般に、フォトニックバンドギャップファイバ（ＰＢＧＦ）とも称される。中空コアファイバは、一般に、周期的格子構造を形成する多数の連続空気孔を含有するシリカクラッドにより取り囲まれた中空コアを有する。代わりの中空コア設計では、中空コアを取り囲むガラスマトリクスにおいてフォトニックバンドギャップ格子を形成するために、高屈折率ロッドが使用される。中空コアファイバにより、光は、気体、気体の混合物または真空などの低屈折率媒体中に導くことができ、よって、群屈折率は単一体(unity)よりもわずかに大きく、光速度は一般に、真空中の光の速度の０．９９７５から０．９５倍辺りである。中空コアファイバは、一般に、遅延時間を減少させるが、従来の中空コアファイバは、一般に、損失が多く、したがって、送信機の地点で、または光増幅地点で、より多くの光パワーを出射する必要がある。
【発明の概要】
【発明が解決しようとする課題】
【０００５】
いくつかの市場で、遅延時間がより少なく、損失の低減した光ファイバ系の通信システムの必要性が生じてきた。例えば、金融取引市場では、取引に使用するコンピュータ間のデータ伝送時間を減少させることのできる通信システムが必要とされている。これにより、取引プログラムが、プログラムされた取引処理をより迅速に完了することができる。したがって、低遅延時間の用途の必要性を満たす低遅延時間の光ファイバ系通信を提供することが必要とされている。
【課題を解決するための手段】
【０００６】
１つの実施の形態によれば、光ファイバ通信システムが提供される。この光ファイバ通信システムは、送信装置および受信装置を備えている。この通信システムは、送信装置に光学的に連結された中空コアファイバも備えており、送信装置と中空コアファイバとの間には、あるスパンの中実コアファイバの全長の１０パーセント（１０％）未満が存在する。この通信システムは、中空コアファイバと受信装置との間に動作可能に連結された中実コアファイバをさらに備えている。
【０００７】
別の実施の形態によれば、送信装置、受信装置、および２０キロメートル超の長さのマルチモード部分を含む中空コアファイバを備えた光ファイバ通信システムが提供される。
【０００８】
さらに別の実施の形態によれば、送信装置および受信装置を備えた光ファイバ通信システムが提供される。この光ファイバ通信システムは、送信装置と光通信する中空コア伝送ファイバ、および中空コア伝送ファイバと動作可能に連結された中実コア伝送ファイバも備えている。この通信システムは、中実コア伝送ファイバに分布ラマン増幅を提供するための、中実コア伝送ファイバに連結されたラマンポンプレーザをさらに備えている。
【０００９】
さらにまた別の実施の形態によれば、送信装置、受信装置、および複数の連続して接続されたスパンを備えた光ファイバ通信システムが提供される。各スパンは、中空コアファイバおよびこの中空コアファイバに動作可能に連結された中実コアファイバを含む。
【００１０】
さらに別の実施の形態によれば、第１のトランシーバ、第２のトランシーバおよびケーブルを備えた通信システムが提供される。この通信システムは、第１のトランシーバと第２のトランシーバとの間に動作可能に連結された、ケーブル内の第１の伝送回線も備えている。この通信システムは、第２のトランシーバと第１のトランシーバとの間に連結された、ケーブル内の第２の伝送回線をさらに備えている。第１と第２の伝送回線の各々は中空コアファイバを備えている。
【００１１】
追加の特徴と利点は、以下の詳細な説明に述べられており、一部は、その説明から当業者にとって容易に明白になるか、または以下の詳細な説明、特許請求の範囲、並びに添付図面を含む、ここに記載された実施の形態を実施することによって、認識されるであろう。
【００１２】
先の一般的な説明および以下の詳細な説明の両方とも、単なる例示であり、請求項の性質および特徴を理解するための概要または骨子を提供することが意図されているのが理解されよう。添付図面は、さらなる理解を与えるために含まれ、本明細書に包含され、その一部を構成する。添付図面は、１つ以上の実施の形態を図示しており、前記説明と共に、様々な実施の形態の原理と動作を明らかにするように働く。
【図面の簡単な説明】
【００１３】
【図１】第１の実施の形態による、中空コアファイバおよび中実コアファイバを利用した通信システムを示す説明図
【図２】第２の実施の形態による、ラマン増幅と共に、中空コアファイバおよび中実コアファイバを利用した通信システムを示す説明図
【図３】第３の実施の形態による、複数のスパンの中空コアファイバおよび中実コアファイバを利用した通信システムを示す説明図
【図４】第４の実施の形態による、２つのトランシーバ間の多数のスパンを利用した双方向通信システムを示す説明図
【図５】ある実施の形態による、通信システムのあるスパンに利用されたケーブルの２つのセグメントの説明図
【図６】ある実施の形態による、通信システムに利用されたケーブルの多数のセグメントの説明図
【図７】ある実施の形態による、通信システムに利用できる中空コアファイバの断面図
【発明を実施するための形態】
【００１４】
ここで、現在好ましい実施の形態を詳しく参照する。その実施例が添付図面に図示されている。可能ならいつでも、同じ部品または類似の部品を称するために、図面に亘り、同じ参照番号が使用される。
【００１５】
送信装置と受信装置との間に連結された中空コアファイバを備えた、低遅延時間、低損失、および低非線形ペナルティを示す光ファイバ通信システムの様々な実施の形態が提供される。中空コアファイバは、フォトニックバンドギャップを提供し、ここではフォトニックバンドギャップファイバとも称される中空コアを有するファイバと定義される。この中空コアは、気体、気体の混合物、または真空を含むことがある低屈折率媒体を有する。１つの実施の形態において、図７に示されるような周期的格子構造を形成する多数の連続空気孔を含有する中空コアが、シリカクラッドにより取り囲まれている。別の実施の形態によれば、中空コアファイバは、この中空コアを取り囲むガラスマトリクス内にフォトニックバンドギャップ格子を形成するために高屈折率ロッドを使用することもある。ある波長では、光は、格子構造中に入り込めず、それゆえ、反射され、それによって、導波モードが形成される。フォトニックバンドギャップ導波のスペクトルバンド幅は極めて広い（例えば、３００〜５００ｎｍ）場合があり、中心波長は、空隙率または空気孔間のピッチのいずれかを変えることによって、シフトさせることができる。その中空コアファイバは、１つの実施の形態によれば、マルチモードファイバであり得る。
【００１６】
この通信システムは、ハイブリッド型ファイバ伝送経路を形成するために、送信装置と受信装置との間に中空コアファイバと共に接続された中実コアファイバも利用することがある。この中実コアファイバは、中空コアファイバの屈折率よりも高い屈折率を有する、ガラスなどの中実材料から製造された中実コアを有するファイバとして定義される。中実コアファイバはシングルモードファイバを含んでよい。中実コアファイバの全長は、送信装置と受信装置との間のスパンにおける中実コアファイバの長さの全ての合計である。いくつかの実施の形態において、そのスパンにおける中実コアファイバの全長の１０パーセント（１０％）未満が、送信装置と第１の中空コアファイバとの間に存在する。１つの実施の形態によれば、そのスパンにおける中実コアファイバの全長の５パーセント（５％）未満が、送信装置と第１の中空コアファイバとの間に存在する。さらに別の実施の形態によれば、そのスパンにおける中実コアファイバの全長の１パーセント（１％）未満が、送信装置と第１の中空コアファイバとの間に存在する。さらにまた別の実施の形態によれば、送信装置と第１の中空コアファイバとの間には、ゼロパーセント（０％）の中実コアファイバが存在する、すなわち中実コアファイバは存在しない。
【００１７】
図１を参照すると、送信装置１２と受信装置２２との間に延在する光伝送経路を有する光ファイバ通信システム１０が示されている。送信装置１２は第１のコンピュータであってよく、受信装置２２は第２のコンピュータであってよい。この第１のコンピュータは、１つの実施の形態によれば、金融市場情報を含むデータを、光信号を通じて第２のコンピュータに伝送することができる。第１と第２のコンピュータの各々は、双方向データ通信のために送信装置および受信装置の両方として機能するトランシーバを含むか、または別個の送信装置および受信装置を利用してもよいことを認識すべきである。
【００１８】
図１に示された通信システム１０は、送信装置１２と受信装置２２との間に直列に連結された第１の中空コアファイバ１６と第２の中実コアファイバ２０のスパンを利用している。中空コアファイバ１６は、中実コアファイバの全長の１０パーセント（１０％）未満が送信装置１２と中空コアファイバ１６との間に存在するように、エルビウムドープトファイバ増幅器（ＥＤＦＡ）を通じて送信装置１２と光通信している。中実コアファイバ２０は、中空コアファイバ１６と受信装置２２との間に直列に動作可能に連結されている。中空コアファイバ１６と中実コアファイバ２０は、機械式ファイバ接続部を含むこともあるファイバコネクタ１８を通じて互いに接続されている。中空コアファイバ１６と中実コアファイバ２０とを互いに、かつ送信装置１２および受信装置２２に連結するために、追加の接続部材を利用してもよいことを認識すべきである。中実コアファイバと中空コアファイバとの接続について、その接続は、一般に約２０ｄＢまでの反射防止被覆、一般に６０ｄＢ超の角度劈開、または反射防止被覆と角度劈開との組合せのいずれかにより、後方反射を減少させるように作製してもよい。この分野において、工場で大量生産された中空コアファイバを中実コアファイバの接合部に挿入しても差し支えないことが理解されよう。
【００１９】
中空コアファイバ１６は、１つの実施の形態によれば、２０キロメートル超の長さを有するマルチモードファイバを含んでもよい。別の実施の形態によれば、中空コアマルチモードファイバは１００キロメートル超の長さを有する。１つの実施の形態によれば、中空コアファイバ１６は、シングルモードファイバを含んでもよい。中実コアファイバ２０は、１つの実施の形態によれば、シングルモードファイバを含んでもよい。中実コアファイバ２０は、１つの実施の形態によれば、２０ｋｍから５０ｋｍなどの著しく長い長さを有してもよい。この実施の形態において単一スパンを提供する、直列に接続された中空コアファイバ１６と中実コアファイバ２０との単一スパンが示されているが、中空コアファイバ１６と中実コアファイバ２０との直列に接続された多数のスパンを送信装置１２と受信装置２２との間に利用してもよいことが認識されよう。
【００２０】
１つの実施の形態によれば、中空コアファイバ１６と中実コアファイバ２０とを有する光ファイバ通信システム１０が示されているが、この光ファイバ通信システム１０は、どのような著しい長さの中実コアファイバも含まずに、中空コアファイバ１６を利用してもよいことが認識されよう。１つの実施の形態において、光ファイバ通信システムは、送信装置１２と受信装置２２との間に配置された、２０キロメートル超の長さのマルチモード部分を含む中空コアファイバ１６を含んでもよい。別の実施の形態によれば、中空コアファイバ１６のマルチモード部分は、１００キロメートル超の長さを有してもよい。１つの実施の形態によれば、中実コアファイバを中空コアファイバに連結してもよく、またこの中実コアファイバはシングルモードファイバであってよいことが認識されよう。
【００２１】
図２を参照すると、第１の実施の形態に示されているような、送信装置１２と受信装置２２との間に配置された中空コア伝送ファイバ１６と中実コア伝送ファイバ２０を有し、中実コア伝送ファイバ２０に連結されたラマンポンプレーザ２４が追加された、光ファイバ通信システム１０が示されている。このラマンポンプレーザ２４は、中実コア伝送ファイバ２０に分布ラマン増幅を提供する。ラマンポンプレーザ２４により中実コア伝送ファイバ２０に提供される分布ラマン増幅は、特に中空コアファイバ１６において示されることがある損失を補うために追加のパワーを通信システム１０に提供する。ラマンポンプレーザ２４は、より広い波長帯域に亘りより大きい光学利得を提供するために多重波長のポンプレーザを含んでもよい。中実コア伝送ファイバ２０は、１つの実施の形態によれば、２０キロメートルと５０キロメートルの間の長さを有してよい伝送ファイバである。１つの実施の形態によれば、中空コア伝送ファイバはマルチモード中空コアファイバ１６であり、中実コア伝送ファイバ２０はシングルモードファイバを含む。
【００２２】
中空コアファイバ１６は、データ通信の方向において中実コアファイバ２０に先行するように所定のスパンで第１のファイバであることが好ましい。中空コアファイバ１６は、一般に、全くまたはわずかしか非線形性を有さないが、中実コアファイバと比べて、より大きい損失を示し、したがって、より大きいパワーを必要とする。マルチモードの中空コアファイバを利用することによって、減少した減衰のために、減少した信号損失で光信号伝送が実現される。長距離伝送について、高出射パワーが利用されることがあり、これは、エルビウムドープトファイバ増幅器１４により達成できる。その上、分布ラマン増幅が、長距離に亘る伝送のための追加のパワーを提供する。中空コアファイバ１６の比率が高いと、遅延時間が小さくなるが、減衰損失を補うために、より大きいパワーが必要になることが認識されよう。
【００２３】
図３を参照すると、１つの実施の形態による、送信装置１２と受信装置２２との間に延在する複数の直列に接続されたスパン３０Ａ〜３０Ｎを利用した光ファイバ通信システム１０が示されている。各スパン３０Ａ〜３０Ｎは、中空コアファイバ１６およびこの中空コアファイバ１６に動作可能に連結された中実コアファイバ２０を含む。各スパン３０Ａ〜３０Ｎは、上述したように、エルビウムドープトファイバ増幅器１４、コネクタ１８およびラマンポンプレーザ２４をさらに備えてよい。隣接するスパン３０Ａ〜３０Ｎの直列の接続は、あるスパンの中実コアファイバ２０の出力が、エルビウムドープトファイバ増幅器１４を有するのが示されている次のスパンの入力に接続されるようなものである。スパンの数は、通信システム１０の伝送長さに応じて様々であってよい。各スパン３０Ａ〜３０Ｎは、１つの実施の形態によれば、７０キロメートル未満の長さを有してよい。
【００２４】
図１〜３に示されたような様々な実施の形態は、送信装置１２から受信装置２２への光信号通信を提供する。しかしながら、２つの別個の装置間で光信号を通信するために、双方向通信を行ってもよいことが認識されよう。
【００２５】
図４を参照すると、第１のトランシーバ１１２と第２のトランシーバ１２２との間でデータを通信するための双方向通信システム１００が示されている。各トランシーバ１１２および１２２は、データの送受信が可能なコンピュータを含んでよい。第１のトランシーバ１１２は、第１の送信装置と第２の受信装置として機能し、第２のトランシーバ１２２は、第１の受信装置と第２の送信装置として機能し、これによって、データが、一方の伝送回線で第１の送信装置から第１の受信装置へ、別個の第２の伝送回線で第２の送信装置から第２の受信装置へと通信されるようなものであってよい。この通信システム１００は、第１のトランシーバ１１２から第２のトランシーバ１２２へデータを伝送するための第１の伝送経路または回線１０Ａ、および第２のトランシーバ１２２から第１のトランシーバ１１２へデータを伝送するための第２の伝送経路または回線１０Ｂを備えている。各伝送回線は、１つ以上のスパン３０Ａ〜３０Ｎを備え、各スパンは中空コアファイバ１６を有している。その上、各スパンは、コネクタ１８を介して中空コアファイバ１６に接続された中実コアファイバ２０を備えてもよい。各スパンは、ここに記載されたような、エルビウムドープトファイバ増幅器１４およびラマンポンプレーザ２４をさらに有してもよい。各伝送回線１０Ａおよび１０Ｂを構成する多数のスパン３０Ａ〜３０Ｎが示されているが、各伝送回線に１つ以上のスパンを利用してもよいことが認識されよう。
【００２６】
図５を参照すると、ケーブルセグメント５０Ａおよび５０Ｂから構成された単一ケーブルに設けられた第１と第２の伝送回線６０および７０が示されている。ケーブルセグメント５０Ａは、その中に設けられた、実線で示された中実コアファイバを有する第１の伝送回線６０および点線で示された中空コアファイバを有する第２の伝送回線７０を備えている。ケーブルセグメント５０Ｂは同様に、その中に設けられた、点線で示された中空コアファイバを有する第１の伝送回線６０および実線で示された中実コアファイバを有する第２の伝送回線７０を備えている。ケーブルセグメント５０Ａおよび５０Ｂは、ケーブルセグメント５０Ａ内の第１の伝送回線とその中実コアファイバが、ケーブルセグメント５０Ｂ内の第１の伝送回線とその中空コアファイバに心合わせされ、連結されて、ケーブルの一端からケーブルの他端まで第１の伝送回線６０を完成するように互いに接続されている。同様に、第１のケーブルセグメント５０Ａ内の第２の伝送回線７０とその中空コアファイバは、第２のケーブルセグメント５０Ｂ内の第２の伝送回線７０とその中実コアファイバに接続され、連結されて、ケーブルの反対の端部の間で第２の送り返し伝送回線７０を完成する。その結果、光信号が、第１の伝送回線６０に沿って一方向に中空コアファイバと中実コアファイバを通過し、別個の第２の伝送回線７０において中空コアファイバと中実コアファイバを通って伝わるように、第１と第２のトランシーバの間の双方向通信を提供するために、中空コアファイバと中実コアファイバの両方を収容するケーブルが提供される。
【００２７】
図６を参照すると、ケーブルセグメント５０Ａおよび５０Ｂの間に連結されているのが示されている第３の中間ケーブルセグメント５０Ｃを含む、第１と第２の伝送経路または回線６０および７０の両方を利用したケーブルの別の実施の形態が示されている。この第３のケーブルセグメント５０Ｃは、双方向データ伝送を提供する第１と第２の伝送経路のファイバセグメントを含む。詳しくは、第３のケーブルセグメント５０Ｃは、各伝送回線において中空コアファイバの量を増加させるように伝送回線６０および７０の各々の全長を延長させる、両方の回線６０および７０において中空コアファイバを含んでよい。あるいは、第３の中間ケーブルセグメント５０Ｃは、両方の伝送経路６０および７０において中実コアファイバの有効全長を増加させるために中実コアファイバのファイバセグメントを利用してもよい。１つ以上の中間ケーブルセグメントを提供することによって、所定の伝送回線における中空コアファイバの中実コアファイバに対する所望の比率を提供してもよいことが認識されよう。さらに、他の考えられる実施の形態によれば、追加のケーブルセグメントが、第１と第２のケーブルセグメント５０Ａおよび５０Ｂの間に配置されていても、もしくはケーブルセグメント５０Ａの前またはケーブルセグメント５０Ｃの後に配置されてもよいことが認識されよう。
【００２８】
中空コアファイバは、非線形障害が実質的にゼロであり、それゆえ、高出射パワーで使用できるので、いくつかの実施の形態において、中実コアファイバに先行することが好ましい。光信号が中実コアファイバに到達する時間までに、中空コアファイバの減衰は、そのパワーを、非線形障害が非常に小さいはずである点まで減少させているであろう。伝送の遅延時間は、中実コアファイバのために増加するであろうが、中空コアファイバと中実コアファイバのハイブリッドの実施の形態により、総スパン減衰は著しく減少するであろう。一例によれば、４０キロメートルの中空コアファイバを有するスパンは、約４０ｄＢの減衰降下を有することがあるのに対し、５０％の中空コアファイバおよび５０％の中実コアファイバを有するハイブリッド型スパンは、約２４ｄＢの減衰降下を達成することがある。ハイブリッド型ファイバ通信システム１０を利用することによって、より制御された減衰降下を達成しながら、平均遅延時間が改善される
中空コアファイバの中実コアファイバに対する比率は、所望の遅延時間および許容できる損失、所望のビットレートおよびビット誤り率に応じて、様々であってよいことが認識されよう。１つの実施の形態において、各スパンは、等しい長さの中空コアファイバおよび中実コアファイバを利用する。他の実施の形態によれば、中空コアファイバの距離が長くなれば、遅延時間の減少をより大きくすることができる。信号強度を維持するのに必要な出射パワーは、伝送の長さおよび中実コアファイバと比べた中空コアファイバの量に応じて様々であってよいことがさらに認識されよう。必要な出射パワーは、利用するファイバの公知の特徴および伝送経路の長さに基づいて計算できる。
【００２９】
図７を参照すると、中空ファイバ１６の一例が示されている。図示された中空ファイバ１６は、中空コア８０および複数の空気孔８２を持つコアを有するマルチモードファイバである。図示された例において、中空コアファイバ１６は、フィンガ８４を維持した変形１９孔欠陥を有する。中空コア８０はガラスクラッド層９０により取り囲まれている。例示の中空コアファイバ１６は、１５５０ｎｍ近くの光を伝送するための５マイクロメートルのピッチを含んでよい。光信号は、真空中での光の速度に匹敵する高速で中空コア８０を通じて屈折される。通信システム１０または１００に、他の中空コアファイバを利用してもよいことが認識されよう。
【００３０】
第１と第２のコンピュータ間でデータを通信するために、光ファイバ通信システム１０または１００を利用してよい。１つの実施の形態によれば、通信システム１０または１００は、金融取引に使用されるコンピュータ、特に、ある都市から別の都市まで長距離に及ぶコンピュータを相互接続できる。通信システム１０または１００は、遠隔地間で光信号を伝送するための他の用途に利用してもよいことが認識されよう。通信システム１０または１００は、低遅延時間の通信システムを達成するために、管理された信号を低くし、並外れた非線形障害なく、送信装置と受信装置との間でデータを伝送するための伝送時間を減少させることが有利である。通信システム１０または１００は、様々な実施の形態によれば、中空コアファイバに関連する高い減衰問題を克服することが有利である。
【００３１】
請求項の精神および範囲から逸脱せずに、様々な改変および変更を行えることが当業者には明白である。
【符号の説明】
【００３２】
１０    光ファイバ通信システム
１２    送信装置
１４    エルビウムドープトファイバ増幅器
１６    第１の中空コアファイバ
１８    ファイバコネクタ
２０    第２の中実コアファイバ
２２    受信装置
２４    ラマンポンプレーザ
１００    双方向通信システム
１１２    第１のトランシーバ
１２２    第２のトランシーバ
【図１】
2014512722.tif 000003
【図２】
2014512722.tif 000004
【図３】
2014512722.tif 000005
【図４】
2014512722.tif 000006
【図５】
2014512722.tif 000007
【図６】
2014512722.tif 000008
【図７】
2014512722.tif 000009
【国際調査報告】
2014512722.tif 000010
2014512722.tif 000011